(57)【要約】【課題】室内の限られたスペースにおいて、大切な衣類や下着、小物などを平干しに干せるようにするための物干し補助具および当該物干し補助具を利用した物干し具を提供すること。【解決手段】放射状に延びる複数の干し棒を備えて干し部を形成した物干し台に用いられる物干し補助具であって、網状体により形成された扇形扁平形状の袋状体からなり、該袋状体内部に前記干し棒を複数挿入することにより、袋状体上面に平干し部が形成されるようにし、当該平干し部上に洗濯物を平干しにして干せるようにした。【選択図】図１
2011067451.tif 000002
【特許請求の範囲】
【請求項１】
放射状に延びる複数の干し棒を備えて干し部を形成した物干し台に用いられる物干し補助具であって、
網状体により形成された扇形扁平形状の袋状体からなり、
該袋状体内部に前記干し棒を複数挿入することにより、袋状体上面に平干し部が形成されるようになされたことを特徴とする物干し補助具。
【請求項２】
放射状に延びる複数の干し棒を備えて干し部を形成した物干し台と、
網状体により形成された扇形扁平形状の袋状体からなり、
該袋状体内部に前記干し棒を複数挿入することにより、袋状体上面に平干し部が形成されるようになされた物干し補助具とからなることを特徴とする物干し具。
【発明の詳細な説明】
【技術分野】
【０００１】
本発明は、物干し補助具に関するものであり、より詳しくは、所謂パラソル型の物干し台に着脱自在であって、この物干し台において、洗濯物を平干しにするための物干し補助具および当該物干し補助具を用いた物干し具に関するものである。
【背景技術】
【０００２】
従来から、洗濯物を干すのに通気性のあるネットを利用し、当該ネットの中に洗濯物を入れて干すようにした物干しネットが広く知られている（下記特許文献１および２など多数）。
【０００３】
また、上記のような物干しネットに対しては、さらに物干しネットに洗濯物を入れたままの状態で洗濯でき、また当該洗濯物を干せるような工夫が様々に考案されている（下記特許文献３および４参照）。
下記特許文献３や４には、袋状の袋状体に吊下部（ないし吊下紐）を備えるようにした物干し具補助具（洗濯ネット）が開示されている。
【０００４】
この物干し補助具（洗濯ネット）によれば、袋状体にリング状の吊下部（ないし吊下紐）を備えるようにしたことで、物干し竿に当該物干し補助具を吊下げることができるので、洗濯物を物干し補助具に入れたまま干すことが可能となる。
【０００５】
尚、所謂洗濯ネットは、衣類等を洗濯機で洗濯する際に、広く用いられている。これは、洗濯槽内で、水流などの影響による前記衣類等の洗濯物の型崩れや、他の洗濯物との摩擦による傷みや絡みを防止したり、糸くずなどが洗濯物に付着するのを防いだりするために用いられるものである（例えば、下記特許文献５〜７など多数）。
【先行技術文献】
【特許文献】
【０００６】
【特許文献１】実開平０２−０６７９９３号公報
【特許文献２】登録実用新案公報第３０２６００４号公報
【特許文献３】特開平１０−１３７４８６号公報
【特許文献４】登録実用新案公報第３１３０７２９号公報
【特許文献５】実公昭６１−０１４３９０号公報
【特許文献６】実公昭６１−０３５１９２号公報
【特許文献７】登録実用新案公報第３００３４７０号公報
【発明の概要】
【発明が解決しようとする課題】
【０００７】
しかしながら、洗濯ネットを用いるような洗濯物には、型崩れし易いもの、大切な衣類、小物等が多く、それらについては、型崩れしないよう平干しにして干すのが望ましい場合が多い。また、紫外線等に弱い素材で出来たものや、人目に晒したくない下着類などについては、屋外よりも屋内の限られたスペースで干したい場合がある。
【０００８】
上記特許文献３および４に記載の物干し補助具によれば、当該物干し補助具の底の部分に洗濯物が偏ってしまい、洗濯物が乾き難いのみならず、型崩れの原因となっていた。また、室内の限られたスペースで干すのに適したものでもなかった。
【０００９】
本発明は、上記のような問題点を克服するためになされたものであって、放射状に延びる多数の干し棒を備えた所謂パラソル型物干し台に着脱自在で、室内の限られたスペースにおいて、大切な衣類や下着、小物などを平干しに干せるようにするための物干し補助具および当該物干し補助具を利用した物干し具を提供することを目的とする。また、洗濯物を収容した状態で洗濯でき、かつ簡単に洗濯物を平干しにできるようにした物干し補助具および物干し具を提供することを目的とする。
【課題を解決するための手段】
【００１０】
上記の課題を解決するため、本発明に係る物干し補助具は、放射状に延びる複数の干し棒を備えて干し部を形成した物干し台に用いられる物干し補助具であって、網状体により形成された扇形扁平形状の袋状体からなり、該袋状体内部に前記干し棒を複数挿入することにより、袋状体上面に平干し部が形成されるようになされたことを特徴とする。
【００１１】
本発明に係る物干し補助具によれば、袋状体が当該袋状体内部に挿入された複数の干し棒に支持され、その上面に平干し部が形成されるので、当該平干し部に洗濯物を平干しにして干すことができる。それゆえ、当該物干し補助具をパラソル型物干し台の干し部の放射状に延びる多数の干し棒に取り付けるだけで、室内の限られたスペースにおいて、大切な衣類や下着、小物などを平干しに干すことが可能となる。また、袋状体内に洗濯物を収容した状態で、そのまま洗濯をすることもできる。
尚、上記扇形は、必ずしも厳密な扇形に限られず、パラソル型物干し台の干し部の形状に合わせて多少の変形をしてもよく、およそ扇形であればよい。
【００１２】
また、本発明に係る物干し具は、放射状に延びる複数の干し棒を備えて干し部を形成した物干し台と、網状体により形成された扇形扁平形状の袋状体からなり、該袋状体内部に前記干し棒を複数挿入することにより、袋状体上面に平干し部が形成されるようになされた物干し補助具とからなることを特徴とする。
【００１３】
本発明に係る物干し具によれば、物干し補助具を物干し台の干し部の放射状に延びる多数の干し棒に取り付けることによって袋状体上面に平干し部が形成されるので、室内の限られたスペースにおいて大切な衣類や下着、小物などを平干しに干すことができる。
【発明の効果】
【００１４】
以上のとおり、本発明に係る物干し補助具によれば、当該物干し補助具をパラソル型物干し台の干し部に取り付けることによって洗濯物を平干し状態で干すことが可能となる。また、本発明に係る物干し補助具によれば、袋状体内に洗濯物を収容してそのまま洗濯をすることができる。
【図面の簡単な説明】
【００１５】
【図１】本発明に係る物干し補助具の一実施形態において、開閉部を開いた状態を示す説明図でである。
【図２】本発明に係る物干し補助具の一実施形態（開閉部を開いた状態）を示す平面図である。
【図３】本発明に係る物干し補助具の一実施形態（開閉部を閉じた状態）を示す平面図である。
【図４】本発明に係る物干し補助具の一実施形態を示す右側面図である。
【図５】本発明に係る物干し補助具および物干し具の一実施形態を示す説明図であり、物干し補助具を物干し台の干し部に取り付ける様子を示す図である。
【図６】本発明に係る物干し補助具および物干し具の一実施形態を示す説明図であり、物干し補助具を物干し台の干し部に取り付けて物干し具を形成した状態を示す図である。
【図７】本発明に係る物干し補助具の別の実施形態を示す平面図である。
【図８】図７に示す物干し補助具について、矢印Ｘ方向に見たときの側面図である。
【発明を実施するための形態】
【００１６】
以下、本発明を実施するための形態を、図面に基づいて詳細に説明する。
【００１７】
図１〜４は、本発明に係る物干し補助具の一実施形態を示す図であり、当該物干し補助具１は、点ＰＱＲＳで結ばれる線で囲まれた略扇形の扁平形状を有している。より詳しくは、図２に記載のとおり、点ＴＰＳで結ばれる略扇形から、中心角θを頂角とする略二等辺三角形ＴＱＲの部分を切除した形状としている。
【００１８】
図１に示すとおり、袋状体２は、２枚のポリエステル繊維製の網状体２１、２２からなり、点ＲＳ間の側辺２０１及び点ＳＰ間の弧２０３において、当該２枚の網状体２１、２２は縫い合わされている。また、点Ｐから点Ｑを通って点Ｒにかけての部分、すなわち、側辺２０２から基端辺２０４にかけては、線ファスナー３１が設けられており開閉部３となされていて、これにより物干し補助具１を構成するものである。
【００１９】
尚、この実施形態において、線ファスナー３１は、スライダー３１１が点Ｐ近傍の位置にあるとき（図１および図２）に開いた状態であり、点Ｒ近傍にあるとき（図３）に閉じた状態となるようにしてある。また、この実施形態では、袋状体２は、ポリエステル製の繊維で形成されているが、柔軟性や耐久性を備え洗濯機で洗濯可能なものであれば、どのような材料を用いてもよい。
【００２０】
次に、この実施形態における物干し補助具１の使用する手順に従って、更に詳しく説明する。先ず、開閉部３を空けて洗濯物を袋状体２に入れ、開閉部３を閉じて洗濯機で洗濯をする（図示せず）。
洗濯が終わったら洗濯物を取り出し、物干し補助具１を図５〜図６に示すように、物干し台７に対して取り付けて、これにより物干し具Mを形成する。
【００２１】
物干し台７は、脚部７１を備えた支柱７２から放射状に延びる多数の干し棒７４１よりなる干し部７４を備えた所謂パラソル型の物干し台であり、この干し部７４の複数の干し棒７４１を利用して物干し補助具１を取り付けるものである。
【００２２】
先ずは、物干し補助具１の開閉部３（線ファスナー３１）を開いた状態で、図５に示すように、複数の干し棒７４１（この実施形態においては５本の干し棒７４１ａ〜７４１ｅ）を袋状体２内に挿入する。そして、図６に示すように、線ファスナー３１を点Ｐから点Ｑの位置近傍まで閉じることにより、物干し補助具１の干し部７４への取り付けを完了する。
【００２３】
すなわち、この実施形態においては、開閉部３の基端辺２０３から物干し台７の複数の干し棒７４１を袋状体２内に挿入した状態で、袋状体２が干し部に取り付けられ、当該袋状体２が、その内部に挿入された複数の干し棒７４１に支持されて、当該袋状体２の上面に平干し部２５が形成されるようにし、物干し具Ｍが形成されるようにしている。
【００２４】
これによって、干し部７４に取り付けられた物干し補助具１の袋状体２の上面に形成された平干し部２５に、上記洗濯した洗濯物を平干し状態に載置して干すことが可能となる。
【００２５】
このとき、物干し補助具１が取り付けられた両端の干し棒７４１ａと７４１ｅとの間の距離は、干し棒の先端にかけて長くなる。したがって、開閉部３を点Ｑ近傍まで閉じておけば、例え洗濯物の重みで干し棒７４１ａ〜７４１ｅがその基端部から先端部にかけて下方に多少垂れ下がるような場合でも、物干し補助具１が干し部７４から脱落する恐れがない。
【００２６】
また、この実施形態における物干し補助具１において、別の取り付け方も可能である。すなわち、物干し補助具１を干し部７４に取り付ける際、前記両端の干し棒７４１ａと７４１ｅのみを袋状体２内に挿入して、干し棒７４１ｂ〜７４１ｄは挿入せず、袋状体２の網状体２１、２２共に干し棒７４１ｂ〜７４１ｄの上に載せるようにして取り付けてもよい。このようにしても、同様に袋状体２はその内部に挿入された複数の干し棒７４１ａ〜７４１ｅに支持され、これにより、当該袋状体２の上面に平干し部２５が形成される。
【００２７】
ところで、洗濯物については、上述のとおり物干し補助具１の袋状体２内から取り出して、当該物干し補助具１の上に載置するようにしてもよいが、袋状体２内に収容したままの状態で物干し補助具１を物干し台７の干し部７４に取り付け、そのまま洗濯物を干すようにしてもよい。このようにすれば、敢えて洗濯物を物干し補助具１内から取り出す必要はなく、そのまま物干し補助具１を物干し台７の干し部７４に取り付け、取り付けた後で、袋状体２内に収容された洗濯物の形を整えるだけで、当該洗濯物を平干し状態にして干すことが可能となる。
【００２８】
尚、上述の扇形については、厳密な扇形に限られず、物干し補助具１を取り付ける物干し台７の干し部７４の形状に合わせて変形が可能である。また、扇形の中心角は、この実施形態の角度に限定されず、様々に変更可能である。さらに、基端辺２０３は、必ずしも上述のように点ＴＰＳで結ばれる略扇形から、中心角θを頂角とする略二等辺三角形ＴＱＲの部分を切除した形状とする必要はなく、また必ずしも直線状とする必要もなく、物干し補助具１を物干し台の干し部７４に取り付け可能であれば、どのような形状としてもよい。
【００２９】
図７および図８は、本発明に係る物干し補助具の別の実施形態を示すものである。この実施形態においては、袋状体２の弧２０３に沿って線ファスナー３１を設け、開閉部３としており、この開閉部３から洗濯物を出し入れするようにしている。また、この実施形態においては、袋状体の両側辺に沿って筒状の挿入孔２７を形成している。この挿入孔２７は、洗濯物を収容できる袋状体２内とは連通しておらず、物干し台７の干し棒７４１を矢印Ｙ方向に挿入可能なものとしている。
【００３０】
この実施形態においては、物干し台７の干し棒７４１ａと７４１ｅをその先端を上方へ向けた状態に折り畳んだ状態で、２つの挿入孔２７それぞれに当該干し棒７４１ａと７４１ｅを挿入する。その上で、干し棒７４１ａと７４１ｅを元の水平位置に戻す。このようにすることで、袋状体２は、複数の干し棒７４１に支持されて、その上面に平干し部２５が形成される。
【００３１】
以上、本発明に係る搬送台車につき、上記の実施形態に示しつつ説明したが、本発明は上記の実施形態に限定されるものではなく、その趣旨を逸脱しない範囲で適宜変更可能なものである。
【符号の説明】
【００３２】
１    物干し補助具
２    袋状体
２１、２２  網状体
２５  平干し部
３    開閉部
３１  線ファスナー
７    物干し台
７４  干し部
７４１  干し棒
M    物干し具
【図１】
2011067451.tif 000003
【図２】
2011067451.tif 000004
【図３】
2011067451.tif 000005
【図４】
2011067451.tif 000006
【図５】
2011067451.tif 000007
【図６】
2011067451.tif 000008
【図７】
2011067451.tif 000009
【図８】
2011067451.tif 000010